(57)【要約】【課題】分別されたゴミ収集日の予定や、スケジュール管理の設定に便利な多目的用途印鑑の提供【解決手段】ごみ収集に対応して、ごみの種類やごみ回収主体を印字面に形成した印鑑ａ〜ｌを作製する。例えば、カレンダ−台紙に行政のゴミ収集日に応じて対応する印鑑を捺印する事により、任意の曜日の表示欄に分別収集のごみ収集日を設定可能とすることができる。【選択図】図１
2009286105.tif 000002
【特許請求の範囲】
【請求項１】
印字面に、各種用途の語句または当該用途を表現するイラストを形成したことを特徴とする、多目的用途印鑑。
【請求項２】
前記印字面に形成される用途は、分別ごみ収集の種類であることを特徴とする、請求項１に記載の多目的用途印鑑。
【請求項３】
前記印字面に形成される用途は、廃品回収主体であることを特徴とする、請求項１に記載の多目的用途印鑑。
【請求項４】
前記印字面に形成される用途は、業務用または個人用のスケジュールであることを特徴とする、請求項１に記載の多目的用途印鑑。
【請求項５】
前記印鑑をゴムで作製したことを特徴とする、請求項１ないし請求項４のいずれかに記載の多目的用途印鑑。
【発明の詳細な説明】
【技術の分野】
【０００１】  本発明は、カレンダ−にゴミ収集予定やスケジュール管理用の多目的用途印鑑に関するものである。
【背景の技術】
【０００２】  近年の環境保全等の観点から、家庭用のゴミは、地方自治体毎に可燃物や不燃物、ビン、カンなどのように分別し、曜日を決めて分別収集することが多くなっている。各地方自治体は、地域住民に対してゴミ収集日を周知させるために、マニュアルやポスタ−を配布している。
【０００３】  また、個人が職務上のスケジュールや病院への通院日などの予定を忘れないようにするために、一般的にはカレンダーや手帳に当該予定を書き込むことがなされている。
【０００４】  前記のようなゴミ収集日のマニュアルやポスタ−では、紛失してしまうことや、記憶違いで決められた日とは異なる日にゴミを出す場合があるなどの問題がある。そこで、カレンダ−にゴミ収集日を表示することが考えられる。例えば、特許文献１には、ユ−ザがパソコンのような端末から、インタ−ネットを介してゴミ収集日を表示したカレンダ−を購入することが記載されている。
【０００５】
【特許文献１】  特開２００２−１５１４３号
【発明の開示】
【発明が解決しようとする課題】
【０００６】  前記特許文献１に記載のカレンダ−は、インタ−ネットを介して購入するので煩雑であり、転居や収集日が変更された場合には対応できないという問題があった。また、毎年ゴミ収集日が設定されたカレンダ−を作成しなければならないのでコストが嵩むという問題があった。【０００７】  また、業務用や個人用のスケジュールを、その都度カレンダーや手帳などに書き込むのは煩雑で手間がかかという問題があった。さらに、面倒なスケジュールの書き込み作業は後回しと考えていると、記入を失念することもあるという問題があった。【０００８】  本発明は従来技術のこのような問題点に鑑みてなされたものであり、その目的は、分別されたゴミ収集日の予定や、業務用および個人用のスケジュールを簡便に設定できる多目的用途印鑑を提供することにある。
【課題を解決するための手段】
【０００９】  上記目的を達成する本発明の多目的用途印鑑は、印字面に、各種用途の語句または当該用途を表現するイラストをを形成したことを特徴とする。【００１０】  また、本発明の多目的用途印鑑は、前記印字面に形成される用途は、分別ごみ収集の種類であることを特徴とする。【００１１】  また、本発明の多目的用途印鑑は、前記印字面に形成される用途は、廃品回収主体であることを特徴とする。【００１２】  また、本発明の多目的用途印鑑は、前記印字面に形成される用途は、業務用または個人用のスケジュールであることを特徴とする。【００１３】  また、本発明の多目的用途印鑑は、前記印鑑をゴムで作製したことを特徴とする。
【発明の効果】
【００１４】  本発明の多目的用途印鑑によれば、居住区域の自治体のごみ分別収集に対応した印鑑をカレンダ−台紙に捺印することにより、確実にごみ出しができる。また、転居した場合にも簡単に対応できる。さらに、廃品回収にも対応できる。なお、業務用または個人用のスケジュールに合わせて手帳などに対応する印鑑を捺印することにより、スケジュールを失念することなく遂行できる。
【発明を実施するための最良の形態】
【００１５】  以下、図面を参照して本発明を説明する、図１は、ごみや廃品の分別収集日に対応する印鑑の例を示す説明図である。図１においては、印字面に文字で可燃ごみなどのごみの種類（ａ〜ｅ、ｋ、ｌ）、自治会などの廃品回収主体（ｆ〜ｊ）を表示している。なお、印字面は理解し易くするために、実際の印字面とは反転した状態で示している。【００１６】  図１に示された印鑑の形状は、角柱状に製作されているが、円柱状、または楕円形状としても良い。また、印鑑の材質は、木やプラスチック、ゴム、金属などを使用することができる。なお、印肉を使用する他に、スタンプを使用する形態とすることも出来る。【００１７】  図２は、本発明の別の実施形態を示す説明図である。図２においては、プラスチックなどのごみの材質（ｏ、ｓ、ｗ）、空き缶類などのごみの種類（ｐ、ｑ、ｒ・・・）が印字面にイラストが表示された印鑑が示されている。この印鑑のイラストは、例えば空き缶類の場合には、ｐ、ｔに示されているように異なる図柄を採用することもできる。このように、異なる図柄の印鑑を採用することにより、ごみ収集に対する関心を高めることができるという効果が着たいできる。【００１８】  図１、図２に示された本発明の実施形態における印鑑は、既存のカレンダ−台紙にゴミゴミ収集に対応日に捺印することにより、確実にごみの分別収集に対応することができる。また、転居などによりごみ収集の自治体が代わった場合にも簡単に対応できる。【００１９】  図３は、スケジュール管理用の印鑑の例を示す説明図である。図３の例では、１〜１２に示されているように、印字面に、会議、出張、などの業務用のスケジュールが形成されている。また、手術、入院などの医療機関におけるスケジュールが形成されている。【００２０】  以上説明したように、本発明の実施形態においては、行政のゴミ分別収集日に対応のごみ印鑑を既存のカレンダ−台紙にゴミ収集に対応日にゴミ印鑑を捺印することにより確実に対応できる。また、地方行政のごみ分別種類に応じた印鑑を購入することにより、何処の地方のゴミ分別収集にも対応できる。本発明のごみ分別収集に対応した印鑑を、該当曜日に捺印することにより、ごみ出しを失念することなく処理できる。【００２１】  また、ごみ収集印鑑の印字面にイラストを形成しているので、分別ごみ収集の関心を高めることができる。さらに、ごみ収集印鑑は、居住している自治体の分別ごみ収集に対応して、不足分を簡単に追加作製することができる。なお、印鑑の大きさを、大・中・小・のサイズで製作することにより、カレンダ−の曜日欄の大小を問わず、利用することができる。【００２２】  また、会議・主張・検査・打ち合わせ・来客・等々のスケジュール管理については、頻度の高いスケジュールを予め印鑑の印字面に形成しておくことにより、カレンダーや手帳に捺印して、業務用、個人用に広く対応できる。【００２３】  印鑑の形成は色んな形を用いることにより、一層利用しやすくなり、また新規の印字にも簡単に追加することができ、より一層利用範囲が多く対応することができる。
【図面の簡単な説明】
【００２４】
【図１】本発明の実施形態を示す説明図である。
【図２】本発明の実態形態を示す説明図である。
【図３】本発明の実態形態を示す説明図である。
【符号の説明】
【００２５】  ａ・・・燃えるゴミ、ｂ・・・荒ゴミ・粗大ゴミ・金系ゴミ、ｃ・・・燃えないゴミ・カセット・スプレ−缶、ｄ・・・空き缶・空き瓶・ペットボトル、ｅ・・・ペットボトル回収、ｆ・・・町内会廃品回収、ｇ・・・自治会廃品回収、ｈ・・・子供会廃品回収、ｉ・・・婦人会廃品回収、ｊ・・・ＰＴＡ廃品回収、ｋ・・・（横長印）古新聞・古紙・古着回収、ｌ・・・（横長印）アルミ・アルミ缶回収、ｏ・・・プラスチック類、ｐ・・・空き缶類、ｑ・・・新聞・古紙、ｒ・・・粗大ゴミ、ｓ・・・紙製の容器・包装紙等、ｔ・・・空き缶類、ｕ・・・空き瓶類、ｖ・・・牛乳・ジュ−ス・紙パック、ｗ・・・カセツトボンベ・スプレ−缶、ｘ・・・新聞・古紙、ｙ・・・不燃ゴミ、１・・・会議、２・・・出張、３・・・検査、４・・・は打ち合わせ、５・・・来賓、６・・・役所へ書類、７・・・来客、８・・・ミ−テング、９・・・手術、１０・・・入院、１１・・・（横長印）休診、１２・・・（横長印）午後休診
【図１】
2009286105.tif 000003
【図２】
2009286105.tif 000004
【図３】
2009286105.tif 000005